(57)【要約】【課題】  ＰＩＰ又はＰＶＲ機能を具現できる放送受信機のチューナー運用方法及びその放送受信機を提供する。【解決手段】  アナログ及びデジタル放送をチューニングすることができる第１及び第２のチューナーを備える放送受信機を用意する段階と、第１及び第２のチューナーの中で現在表示されている放送をチューニングしているチューナーを決定し、決定されたチューナーを入力されたＰＩＰ又はＰＶＲ機能を実行するための命令に対応してプライマリーチューナーに設定する段階と、第１及び第２のチューナーの中でプライマリーチューナーに設定されたチューナーの以外の他のチューナーをセカンダリーチューナーに設定し、チャンネル設定情報の入力を待機する段階と、入力されるチャンネル設定情報に対応して該当チャンネルの放送方式を判断し、セカンダリーチューナーの動作モードを該当チャンネルの放送方式に指定する段階と、を含む。  【選択図】  図3
2005218101.tif 000002
【特許請求の範囲】
【請求項１】
アナログ放送及びデジタル放送をチューニングすることができる第１のチューナー及び第２のチューナーを備える放送受信機のチューナー運用方法であって、
前記第１のチューナー及び第２のチューナーの中で、現在表示されている放送をチューニングしているチューナーを判断し、入力されたＰＩＰ又はＰＶＲ機能を実行するための命令に対応して、前記判断されたチューナーを、プライマリーチューナーに設定する段階と、
前記第１のチューナー及び第２のチューナーの中で、前記プライマリーチューナーに設定されたチューナー以外のチューナーをセカンダリーチューナーに設定し、チャンネル設定情報の入力を待機する段階と、
入力されるチャンネル設定情報のチャンネルの放送方式を判断し、前記セカンダリーチューナーの動作モードを、前記入力されるチャンネル設定情報のチャンネルの放送方式に設定する段階と、を含むことを特徴とする放送受信機のチューナー運用方法。
【請求項２】
前記セカンダリーチューナーに、前記チャンネル設定情報のチャンネルの周波数情報を伝送し、前記セカンダリーチューナーが、放送信号を所定の周波数へチューニングする段階をさらに含むことを特徴とする請求項１記載の放送受信機のチューナー運用方法。
【請求項３】
前記プライマリーチューナーによりチューニングされた放送信号と前記セカンダリーチューナーによりチューニングされた放送信号とのうちのいずれか一つの放送信号が遮断された場合には、残っている放送信号をチューニングしているチューナーを、プライマリーチューナーに設定する段階をさらに含むことを特徴とする請求項１記載の放送受信機のチューナー運用方法。
【請求項４】
前記セカンダリーチューナーは、チューニングされた放送信号を、ＰＩＰ機能又はＰＶＲ機能のための放送信号として出力することを特徴とする請求項１記載の放送受信機のチューナー運用方法。
【請求項５】
前記プライマリーチューナー及び前記セカンダリーチューナーは、アナログ放送信号をチューニングする動作モードを実行することを特徴とする請求項１記載の放送受信機のチューナー運用方法。
【請求項６】
前記プライマリーチューナーは、アナログ放送信号をチューニングし、前記セカンダリーチューナーは、デジタル放送信号をチューニングする動作モードを実行することを特徴とする請求項１記載の放送受信機のチューナー運用方法。
【請求項７】
前記プライマリーチューナーは、デジタル放送信号をチューニングし、前記セカンダリーチューナーは、アナログ放送信号をチューニングする動作モードを実行することを特徴とする請求項１記載の放送受信機のチューナー運用方法。
【請求項８】
前記プライマリーチューナー及び前記セカンダリーチューナーは、デジタル放送信号をチューニングする動作モードを実行することを特徴とする請求項１記載の放送受信機のチューナー運用方法。
【請求項９】
アナログ放送及びデジタル放送をチューニングすることができる第１のチューナー及び第２のチューナーと、
前記第１のチューナーと第２のチューナーの中で、現在表示されている放送をチューニングしているチューナーを判断し、前記判断されたチューナーをプライマリーチューナーに設定し、前記第１のチューナーと第２のチューナーの中で、前記プライマリーチューナーに設定されたチューナーの以外のチューナーをセカンダリーチューナーに設定し、チャンネル設定情報の入力を待機し、入力されるチャンネル設定情報のチャンネルの放送方式を判断し、前記セカンダリーチューナーの動作モードを、前記入力されるチャンネル設定情報のチャンネルの放送方式に設定する、チューナー運用プロセッサと、を含むことを特徴とする放送受信機。
【請求項１０】
前記チューナー運用プロセッサは、前記セカンダリーチューナーに、前記チャンネル設定情報のチャンネルの周波数情報を伝送し、所定の周波数へ放送信号をチューニングさせることを特徴とする請求項９記載の放送受信機。
【請求項１１】
前記チューナー運用プロセッサは、前記プライマリーチューナーによりチューニングされた放送信号とセカンダリーチューナーによりチューニングされた放送信号とのうちのいずれか一つの放送信号が遮断される場合には、残っている放送信号をチューニングしているチューナーをプライマリーチューナーに設定することを特徴とする請求項９記載の放送受信機。
【請求項１２】
前記チューナー運用プロセッサは、前記セカンダリーチューナーによりチューニングされた放送信号を、ＰＩＰ機能又はＰＶＲ機能のための放送信号として出力することを特徴とする請求項９記載の放送受信機。
【請求項１３】
前記チューナー運用プロセッサは、前記プライマリーチューナー及び前記セカンダリーチューナーが、アナログ放送信号をチューニングする動作モードを実行するように制御することを特徴とする請求項９記載の放送受信機。
【請求項１４】
前記チューナー運用プロセッサは、前記プライマリーチューナーがアナログ放送信号をチューニングし、前記セカンダリーチューナーがデジタル放送信号をチューニングする動作モードを実行するように制御することを特徴とする請求項９記載の放送受信機。
【請求項１５】
前記チューナー運用プロセッサは、前記プライマリーチューナーがデジタル放送信号をチューニングし、前記セカンダリーチューナーがアナログ放送信号をチューニングする動作モードを実行するように制御することを特徴とする請求項９記載の放送受信機。
【請求項１６】
前記チューナー運用プロセッサは、前記プライマリーチューナー及び前記セカンダリーチューナーが、デジタル放送信号をチューニングする動作モードを実行するように制御することを特徴とする請求項９記載の放送受信機。
【発明の詳細な説明】
【技術分野】
【０００１】
本発明は、放送受信機のチューナー運用方法及びその放送受信機に関し、より詳しくは、アナログ放送及びデジタル放送を受信して、ＰＩＰ(Picture In Picture)又はＰＶＲ(Personal Video Recorder)機能を実行するために、アナログ及びデジタル放送信号をチューニングすることができるアナログ及びデジタル放送チューナーの運用方法及びその放送受信機に関する。
【背景技術】
【０００２】
ＰＩＰ技術は、アナログ放送やケーブル放送において、ＴＶ又はセットトップボックス(Set-top box)のような放送受信機で、アンテナから受信された複数の高周波信号の中で、メインチューナー部及びサブチューナー部を通じて、複数の所望のチャンネルの高周波信号を選択した後に、中間周波信号に変換・復調して、ＴＶの画面上に、複数チャンネルの画面を表示する技術である。
【０００３】
また、ＰＶＲ技術は、ハードディスクを用いて、既存のビデオテープレコーダーを置換する製品であり、デジタル技術を結合して、リアルタイム放送を停止して見ることが可能であり、逃した場面を戻して見ることも可能である。これは、画像をリアルタイムにハードディスクに保存して表示する機能を有するために可能となる。したがって、ＴＶ視聴中に電話がある場合には、ＴＶ画面を一時停止させてから、実際より何分か遅れた画面を、ドラマが終わるまで見ることもできる。
【０００４】
従来のアナログ放送やケーブル放送の場合に、ＴＶ又はセットトップボックスのような放送受信機でＰＩＰ又はＰＶＲ機能を実現するためには、メイン用(主放送視聴用)チューナーとサブ用(ＰＩＰ又はＰＶＲ用)チューナーを具備しなければならない。
【０００５】
図１は、従来技術によるアナログ放送受信機のＰＩＰ用チューナーを示すブロック図である。
【０００６】
図１に示すように、従来のアナログ放送受信機のＰＩＰ用チューナーは、アンテナ(ＡＮＴ)から受信した複数の高周波信号を、複数の回線に分配する分配器１と、分配器１を通じて分配された複数の高周波信号の中で、所望のメインチャンネルの高周波信号のみを選択して、中間周波信号に変換・増幅させるメインチューナー部２と、分配器１を通じて分配された複数の高周波信号の中で所望のサブチャンネルの高周波信号のみを選択して、中間周波信号に変換・増幅させるサブチューナー部３からなる。
【０００７】
メインチューナー部２は、不図示の各種内部構成を有し、分配器１を通じて分配された高周波信号の中に含まれた不必要な雑音成分を除去するメイン入力フィルター部と、メイン入力フィルター部を通じてフィルタリングされた高周波信号を１次同調させるメイン入力同調部と、メイン入力同調部を通じて同調された高周波信号を増幅するメイン高周波増幅部と、メイン高周波増幅部を通じて増幅された高周波信号を２次精密同調させるメイン端間同調部と、メイン端間同調部の高周波信号及びメイン局部発振部の発振周波信号を混合した後に中間周波信号に変換させるメイン混合部と、メイン混合部の中間周波信号を増幅して出力するメイン中間周波増幅部からなる。
【０００８】
また、サブチューナー部３は、不図示の各種内部構成を有し、分配器１を通じて分配された高周波信号の中に含まれた不必要な雑音成分を除去するサブ入力フィルター部と、サブ入力フィルター部を通じてフィルタリングされた高周波信号を１次同調させるサブ入力同調部と、サブ入力同調部を通じて同調された高周波信号を増幅するサブ高周波増幅部と、サブ高周波増幅部を通じて増幅されられた高周波信号を２次精密同調させるサブ端間同調部と、サブ端間同調部の高周波信号及びサブ局部発振部の発振周波信号を混合した後に中間周波信号に変換させるサブ混合部と、サブ混合部の中間周波信号を増幅して出力するサブ中間周波増幅部からなる。
【０００９】
このような、従来のアナログＴＶのＰＩＰ用チューナーの動作及び作用について説明すれば、次のようである。
【００１０】
まず、アンテナ(ＡＮＴ)から複数の高周波信号を受信する場合、分配器１では複数の高周波信号を、複数の回線に各々分配して、メインチューナー部２及びサブチューナー部３に供給する。
【００１１】
メインチューナー部２に供給された高周波信号は、メイン入力フィルター部を通じてフィルタリングされた後に、メイン入力同調部により１次同調されて、メイン高周波増幅部に供給される。
【００１２】
その後、メイン高周波増幅部を通じて増幅された高周波信号は、メイン端間同調部により２次精密同調されて、メイン混合部でメイン局部発振部の発振周波信号と混合された後に、中間周波信号に変換され、この中間周波信号は、さらにメイン中間周波増幅部により最大増幅されて、後端の復調部で復調されて、ＴＶのメイン画像として表出される。
【００１３】
一方、サブチューナー部３に供給された高周波信号は、サブ入力フィルター部を通じてフィルタリングされた後に、サブ入力同調部により１次同調されて、サブ高周波増幅部に供給される。
【００１４】
その後、サブ高周波増幅部を通じて増幅された高周波信号は、サブ端間同調部により２次精密同調されて、サブ混合部でサブ局部発振部の発振周波信号と混合された後に、中間周波信号に変換され、この中間周波信号は、さらにサブ中間周波増幅部により最大増幅されて、後端の復調部で復調されてＴＶのサブ画像として表示される。
【００１５】
近年、様々なデジタル放送サービスが開始され、地上波、ケーブル、衛星などにより伝送されるデジタル及びアナログ放送のチャンネル数が、１００個以上に増加している。
【００１６】
図２は、従来技術によるアナログ放送とデジタル放送を受信する放送受信機のＰＩＰ用チューナーを示すブロック図である。
【００１７】
図２に示すように、アナログ放送を受信するために、アナログ放送用メインチューナー１０とアナログ放送用サブチューナー２０と設けられており、デジタル放送を受信するために、デジタル放送用メインチューナー３０とデジタル放送用サブチューナー４０とが設けられている。
【００１８】
チューナーの特性上、一つのチューナーは、一つの放送周波数だけをチューニングすることができ、アナログ放送受信用チューナーとデジタル放送受信用チューナーは、共用化することができない。したがって、多チャンネル放送下で、アナログ放送とデジタル放送を同時にＰＩＰするためには、図示したように、２個のアナログ用チューナーと２個のデジタル用チューナーとを一緒に配置して、放送受信機を製作する必要がある。
【００１９】
このとき、ＲＦ入力は、アンテナやケーブルにより、直接チューナーに接続するができ、ＲＦ分配器(splitter)を用いてアンテナやケーブルにより、チューナーに分配することもできる。
【００２０】
表１は、このように構成された従来の放送受信機でＰＩＰ機能を用いた視聴方法の形態を示す。
【００２１】
【表１】
2005218101.tif 000003
表１を参照すれば、アナログ放送を見ながらアナログ放送をＰＩＰするためには、アナログ用チューナー(＃１)１０とアナログ用チューナー(＃２)２０を動作させる。
【００２２】
また、アナログ放送を見ながらデジタル放送をＰＩＰするためには、アナログ用チューナー(１０又は２０)とデジタル用チューナー(３０又は４０)を動作させる。
【００２３】
また、デジタル放送を見ながらアナログ放送をＰＩＰするためには、デジタル用チューナー(３０又は４０)とアナログ用チューナー(１０又は２０)を動作させる。
【００２４】
また、デジタル放送を見ながらデジタル放送をＰＩＰするためには、デジタル用チューナー(＃１)３０とデジタル用チューナー(＃２)４０を動作させる。
【００２５】
しかしながら、１つの放送受信機に４個のチューナーを設ける場合には、装置のサイズが大きくなり、費用もほぼ二倍必要となるという問題点がある。
【００２６】
そして、アナログ放送とデジタル放送が混合している多チャンネル放送環境が、急速に拡大することによって、アナログ信号とデジタル信号をスイッチングしてチューニングすることができるチューナーが、多方面から求められている。
【発明の開示】
【発明が解決しようとする課題】
【００２７】
したがって、本発明は上述したような従来技術の問題点を解決するためになされたもので、その目的は、アナログ信号とデジタル信号をスイッチングしてチューニングすることができるチューナーによって、放送受信機でこのようなチューナーを効果的に使用して、ＰＩＰ又はＰＶＲ機能を実現できる放送受信機のチューナー運用方法及びその放送受信機を提供することにある。
【課題を解決するための手段】
【００２８】
上記目的を達成するための本発明による放送受信機のチューナー運用方法は、アナログ放送及びデジタル放送をチューニングすることができる第１のチューナー及び第２のチューナーを備える放送受信機において、第１及び第２のチューナーの中で現在表示されている放送をチューニングしているチューナーを決定し、決定されたチューナーを入力されたＰＩＰ又はＰＶＲ機能を実行するための命令に対応してプライマリーチューナーに設定する段階と、第１及び第２のチューナーの中でプライマリーチューナーに設定されたチューナー以外のチューナーをセカンダリーチューナーに設定し、チャンネル設定情報の入力を待機する段階と、入力されるチャンネル設定情報に対応して該当チャンネルの放送方式を判断し、セカンダリーチューナーの動作モードを該当チャンネルの放送方式に設定する段階と、を含む。
【００２９】
また、上記目的を達成するための本発明による放送受信機は、アナログ放送及びデジタル放送をチューニングすることができる第１のチューナー及び第２のチューナーと、第１及び第２のチューナーの中で現在表示されている放送をチューニングしているチューナーを決定し、決定された該当チューナーをプライマリーチューナーに設定し、第１及び第２のチューナーの中でプライマリーチューナーに設定されたチューナー以外のチューナーをセカンダリーチューナーに設定してチャンネル設定情報の入力を待機し、入力されるチャンネル設定情報に対応して該当チャンネルの放送方式を判断して前記セカンダリーチューナーの動作モードを該当チャンネルの放送方式に設定するチューナー運用プロセッサと、を含む。
【発明の効果】
【００３０】
本発明によれば、多チャンネル放送環境下のアナログ放送とデジタル放送が混在する状況において、アナログ放送とデジタル放送が処理可能な２個のチューナーを効果的に運用することにより、放送受信機でＰＩＰ機能又はＰＶＲ機能を実行することができる 。 したがって、放送受信機にＰＩＰ機能及びＰＶＲ機能を実現のためのチューナーの数を２個に減らして単純化することが可能となりし、製品のＰＣＢサイズを減少させ、製品の原価低減を図ることが可能となる効果がある。
【発明を実施するための最良の形態】
【００３１】
以下、添付図面を参照しながら、本発明の好適な実施の形態について詳細に説明する。なお，本明細書及び図面において、実質的に同一の機能を有する構成要素については、同一の符号を付することにより重複した説明を省略する。
【００３２】
図３は、本発明の一実施の形態によるアナログ及びデジタルチューナーを備えた放送受信機を示す構成図である。
【００３３】
図３に示すように、本発明の一実施の形態による放送受信機は、ＲＦ信号処理部１００を通じて入力される放送信号について、視聴者モードによって選択的にアナログ放送をチューニングし、もしくは、デジタル放送をチューニングして、放送受信機のスペックに合わせてＰＩＰ又はＰＶＲ機能のための放送信号を出力する第１及び第２チューナー２００、３００、及び第１及び第２チューナー２００、３００の動作を制御する運用プロセッサを有するチューナー制御部４００を具備する。
【００３４】
ＲＦ信号処理部１００は、アナログ放送及びデジタル放送を受信するために、アンテナ又はケーブル網に伝送される放送信号を、第１のチューナー２００と第２のチューナー３００に伝達する。分配器を使用してＲＦ信号を分岐することができ、チューナー自体にループアウト(Loop through)機能を追加して第２のチューナー３００に伝達することもできる。
【００３５】
第１のチューナー２００及び第２のチューナー３００は、各々デジタル放送をチューニングし、アナログ放送をチューニングすることができる。即ち、チューナー技術の発達によって、一つのチューナーにより、アナログ放送とデジタル放送を選択して視聴することができるようになった。
【００３６】
この場合、一つのチューナーが、同時に２種の放送をチューニングすることはできない。しかしながら、ある瞬間ごとに、アナログ放送とデジタル放送をスイッチングして選択することは可能である。
【００３７】
したがって、第１のチューナー２００及び第２のチューナー３００は、視聴者が希望する瞬間ごとに、アナログ放送とデジタル放送の中で一つをチューニングすることができるように選択が可能なチューナーを使用する。
【００３８】
そして、チューナーごとに、ＰＩＰ視聴者モードによって、選択的にアナログ放送をチューニングするか、デジタル放送をチューニングして、放送受信機のスペックに合わせて、ＰＩＰ又はＰＶＲ機能を実行しなければならない。
【００３９】
本実施形態では、アナログ及びデジタル放送についてのＰＩＰ機能及びＰＶＲ機能を実行するために、第１のチューナー２００及び第２のチューナー３００の運用時に、チューナー制御部４００はマトリックスを用いて各チューナーの動作を設定する。
【００４０】
【表２】
2005218101.tif 000004
表２は、アナログ放送及びデジタル放送についてＰＩＰ又はＰＶＲ機能を実行するために、第１のチューナー２００及び第２のチューナー３００のモードがマトリックスを用いて設定されたことを示す表である。
【００４１】
表２から分かるように、チューナー制御部４００は、アナログ放送及びデジタル放送についてＰＩＰ又はＰＶＲ機能を実行するために、マトリックスを用いて第１のチューナー２００及び第２のチューナー３００について各々の動作モードを設定することができる。
【００４２】
表２を参照すれば、チューナー制御部４００が第１のチューナー２００及び第２のチューナー３００にチューニングモードを指定することにおいて、以下の４種の放送チューニング形態があり得る。
【００４３】
１. アナログ放送を見ながらアナログ放送をＰＩＰする場合である。この場合、チューナー制御部４００は、第１のチューナー２００がアナログ放送をチューニングして出力するようにし、第２のチューナー３００もアナログ放送をチューニングするように各チューナーの動作モードを設定する。
【００４４】
２．アナログ放送を見ながらデジタル放送をＰＩＰする場合である。この場合、チューナー制御部４００は、第１のチューナー２００がアナログ放送をチューニングして出力するようにし、第２のチューナー３００はデジタル放送をチューニングするように各チューナーの動作モードを設定する。
【００４５】
３．デジタル放送を見ながらアナログ放送をＰＩＰする場合である。この場合、チューナー制御部４００は、第１のチューナー２００がデジタル放送をチューニングして出力するようにし、第２のチューナー３００はアナログ放送をチューニングするように各チューナーの動作モードを設定する。
【００４６】
４．デジタル放送を見ながらデジタル放送をＰＩＰする場合である。この場合、チューナー制御部４００は、第１のチューナー２００及び第２のチューナー３００が全部デジタル放送をチューニングするように各チューナーの動作モードを設定する。
【００４７】
表３は、ケーブル放送周波数の割当の例を示す表である。
【００４８】
【表３】
2005218101.tif 000005
図４は、表２に示されたマトリックスを用いて、チューナー制御部４００が第１のチューナー２００及び第２のチューナー３００における放送チューニングモードを指定する方法を示すフローチャートである。
【００４９】
図４と表３を参照して、チューナー制御部４００が放送チューニングのために第１のチューナー２００及び第２のチューナー３００を運用する手続きについて説明する。
【００５０】
まず、チューナー制御部４００は、使用者からＰＩＰ実行命令が入力されたかを判断する(ステップ１。なお、図中ではステップをＳと略す。以下同じ。)。判断の結果、ＰＩＰ実行命令が入力された場合は、ＰＩＰを実行するために、現在表示されている放送をチューニングしているチューナーを確認する(ステップ２)。例えば、現在チャンネル６が放送されており、そのチャンネル６が第１のチューナー２００によりチューニングされている場合は、第１のチューナー２００が、現在動作するチューナーになる。
【００５１】
次に、チューナー制御部４００は、現在動作しているチューナーを確認した後に、そのチューナーをプライマリーチューナー(Primary tuner)に設定する(ステップ３)。第１のチューナー２００が、プライマリーチューナーになるため、チューナー制御部４００は第２のチューナー３００がセカンダリーチューナーになり、使用者からのチャンネル設定信号（チャンネル設定情報）の入力を待機する(ステップ４)。
【００５２】
次に、セカンダリーチューナーである第２のチューナー３００が、使用者のチャンネル設定信号の入力を待機する間に、チューナー制御部４００は、チャンネル設定信号が入力されたか否かを判断する(ステップ５)。
【００５３】
セカンダリーチューナーである第２のチューナー３００が待機する間に、使用者から任意のチャンネル設定信号が入力される場合、チューナー制御部４００はチャンネル設定信号のチャンネルの放送方式が、アナログ放送であるかデジタル放送であるかを判断する(ステップ６)。
【００５４】
判断の結果、チャンネルの放送方式が、デジタル放送である場合には、チューナー制御部４００は、セカンダリーチューナーである第２のチューナー３００を、デジタルモードに設定する(ステップ７)。
【００５５】
一方、チャンネルの放送方式が、デジタル放送ではない場合には、チューナー制御部４００は、セカンダリーチューナーである第２のチューナー３００にアナログモードを設定する(ステップ８)。
【００５６】
セカンダリーチューナーである第２のチューナー３００にデジタルモード又はアナログモードが設定された後には、チューナー制御部４００は、セカンダリーチューナーである第２のチューナー３００に、チャンネルの周波数情報を提供して、所定の周波数の放送信号へチューニングする(ステップ９)。チューナー制御部４００は、セカンダリーチューナーである第２のチューナー３００によりチューニングされた放送信号は、ＰＩＰ画面により表示される放送に設定する(ステップ１０)。
【００５７】
また、プライマリーチューナーである第１のチューナー２００により、チューニングされた放送信号とセカンダリーチューナーである第２のチューナー３００によりチューニングされた放送信号が出力されるうちに、いずれか一つの放送信号が遮断された場合には、チューナー制御部４００は、残っている放送信号をチューニングしている第１のチューナー２００又は第２のチューナー３００をプライマリーチューナーに設定する(ステップ１１、ステップ１２)。
【００５８】
本発明の実施の形態では、ＰＩＰ機能を実行する際の各チューナーの運用方法について説明したが、本発明は、ＰＩＰ機能の実行に限定しないで、上述したようなＰＶＲ機能を実現する場合において、各チューナーの動作モードをマトリックスで構成することにより、放送受信機の動作の効率性を高めることができる。
【００５９】
以上、添付の図面を参照しながら本発明の好適な実施の形態について説明したが、本発明は上記実施形態に限定されない。当業者であれば、特許請求の範囲に記載された範疇において、各種の変更例または修正例に想到し得ることは明らかであり、それらについても、当然に本発明の技術的範囲に属するものである。
【図面の簡単な説明】
【００６０】
【図１】従来技術によるアナログ放送受信機のＰＩＰ用チューナーを示すブロック図である。
【図２】従来技術によるアナログ放送とデジタル放送を受信する放送受信機のＰＩＰ用チューナーを示すブロック図である。
【図３】本発明の一実施の形態によるアナログ及びデジタルチューナーを備えた放送受信機を示す構成図である。
【図４】表２に示されたマトリックスを用いて各チューナーにおける放送チューニングモードを指定する方法を示すフローチャートである。
【符号の説明】
【００６１】
１００  ＲＦ信号処理部
２００  第１のチューナー
３００  第２のチューナー
４００  チューナー制御部
【図１】
2005218101.tif 000006
【図２】
2005218101.tif 000007
【図３】
2005218101.tif 000008
【図４】
2005218101.tif 000009